(57)【要約】【課題】コンパクト性に優れ、圧力損失の小さい縦形ストレーナであり、スクリーンをボデーに収納するだけでボデー内の所定位置に容易に装着でき、ボデーとスクリーンとの隙間を塞いでゴミ等の流出を阻止できる縦形ストレーナを提供する。【解決手段】流入口５と流出口６を有するボデー２の上部に設けた着脱口７より円筒形スクリーン３を挿着し、この着脱口７を蓋体４で被蓋した縦形ストレーナである。この縦形ストレーナは、スクリーン３の側面に形成した開口部２３の口縁部位にゴム等の環状シール部材１０を装着し、このスクリーン３をボデー２内に挿着したとき、開口部２３と流入口５とを対向配置させると共に、環状シール部材１０の外周面３２と流入口５の開口端に形成した環状シール面９とを圧接させて封止したものである。【選択図】      図１
2011125792.tif 000002
【特許請求の範囲】
【請求項１】
流入口と流出口を有するボデーの上部に設けた着脱口より円筒形スクリーンを挿着し、この着脱口を蓋体で被蓋した縦形ストレーナであって、前記スクリーンの側面に形成した開口部の口縁部位にゴム等の環状シール部材を装着し、このスクリーンを前記ボデー内に挿着したとき、前記開口部と前記流入口とを対向配置させると共に、前記環状シール部材の外周面と前記流入口の開口端に形成した環状シール面とを圧接させて封止したことを特徴とする縦形ストレーナ。
【請求項２】
前記環状シール部材の装着手段は、前記開口部の口縁部位に環状シール部材を挟みこんで当該部位を接着剤で固定するようにした請求項１に記載の縦形ストレーナ。
【請求項３】
前記環状シール部材の装着手段は、前記開口部の口縁部位に環状シール部材を焼き付けて一体化するようにした請求項１に記載の縦形ストレーナ。
【請求項４】
前記ボデーのスクリーンを装着する縦方向の内径を、前記環状シール部材を装着したスクリーンの外径より若干小さくした請求項１乃至３の何れか１項に記載の縦形ストレーナ。
【請求項５】
前記スクリーンの径方向に一部を突設させた係止部を有するガイド杆を設け、この係止部をボデーに形成した係合溝に係合させて回り止めをさせると共に、前記ガイド杆を前記スクリーンの取付方向のガイド機能とスクリーン取出し用の取手とした請求項１乃至４の何れか１項に記載の縦形ストレーナ。
【請求項６】
前記蓋体の開口にガラス板やアクリル板などの透明部材を設けて、前記ボデーの上面よりゴミ等の堆積状態などを確認するようにした請求項１乃至５の何れか１項に記載の縦形ストレーナ。
【発明の詳細な説明】
【技術分野】
【０００１】
本発明は、各種の配管ラインを流れる水・油・ガス・空気・蒸気などの各種流体中の異物、配管中の腐食やガスケットなどの剥離によるゴミ等を捕捉するための縦形ストレーナに関する。
【背景技術】
【０００２】
この種のストレーナはスクリーンを内蔵し、このスクリーン内に溜まった流体中の異物・ゴミ等を、ストレーナ本体を配管に接続したままの状態で捕捉して清掃できる構造になっている。このようなストレーナとしては、Ｙ形ストレーナやＵ形ストレーナが用いられているが、これらのストレーナよりもコンパクト性の向上や圧力損失の低減が可能なストレーナとして、いわゆる、直通形で縦形と呼ばれるストレーナが提案されている。このストレーナは、流入口と流出口とが略直線上に位置し、流入口と流出口との間にスクリーンが配置された構造になっている。
【０００３】
縦形のストレーナとしては、例えば、特許文献１のストレーナが知られている。同文献１のストレーナは、流入口と流出口とが一直線上に形成された弁箱内にカップ状のスクリーンを有し、このスクリーンは、その開口端面側が本体の流入口側の内周内壁に向くように挿入され、後方からロッドと移動部材とを有する押圧部材で押圧されて本体の所定位置に装着されるようになっている。
【０００４】
一方、他の縦形の構造として、特許文献２の縦形ストレーナが開示されている。同文献２のストレーナは、流入口と流出口とが一直線上に形成された弁箱内に流通路と直交するように円筒形のストレーナ部材が収納され、このストレーナ部材の流入口側に開口孔が形成された縦形のストレーナになっている。開口孔と流入口とは、ストレーナ部材の底部に設けられた係止部とボデー側に設けられた係合溝との嵌合により位置決めされている。このストレーナに通水すると、流水は、弁箱に形成された流入口からストレーナ部材の開口孔に直接入り、その後、ストレーナ部材により流水が濾過される。
【０００５】
このような縦形のストレーナの場合においても、Ｙ形やＵ形ストレーナと同様に、異物・ゴミ等などを捕捉する時のストレーナ部材の着脱時の容易性を確保しながら、部品間の高い固着性が求められている。部品間の固着性を向上させた場合には、開口孔と流入口との隙間が塞がれてこの部分からの異物・ゴミ等の流出が防がれたり、流体が流れるときの乱流や渦流によりスクリーンが振動したりこの振動により破損したりすることが防がれる。
【先行技術文献】
【特許文献】
【０００６】
【特許文献１】特開２００６−７６１号公報
【特許文献２】実用新案登録第２５９４２８１号公報
【発明の概要】
【発明が解決しようとする課題】
【０００７】
しかしながら、特許文献１のストレーナは、スクリーンの固着性を向上させるために押圧部材を設けており、このスクリーンを取外す場合には、蓋を取外した後に、スパナ等の工具を用いてロッドを回転させて、移動部材を移動させることによってロックを解除しなければならず着脱作業が面倒になっていた。しかも、この複雑な押圧機構により内部構造が複雑化して部品点数も増加していた。
【０００８】
一方、特許文献２のストレーナは、ストレーナ部材の着脱性を確保しつつゴミ等の流出や部品間の隙間を防ぐために、ストレーナ部材とボデーとを強固な嵌合によって固定することを目的として係止部や係合溝の加工精度を高める必要があった。そのため、係止部や係合溝の加工が難しくなったり、ストレーナ部材の取り付けや取り外しに手間がかかっていた。特に、このストレーナは、金属製の流入口と開口孔とが直接接触しながら連通する構造になっているため、弁箱とストレーナ部材との間の隙間が大きくなると流入口と開口孔との間に隙間が生じて、ゴミ等が２次側に流出するおそれがあった。
【０００９】
本発明は、上記した実情に鑑み、鋭意検討の結果開発に至ったものであり、その目的とするところは、コンパクト性に優れ、圧力損失の小さい縦形ストレーナであり、スクリーンをボデーに収納するだけでボデー内の所定位置に容易に装着でき、ボデーとスクリーンとの隙間を塞いで異物・ゴミ等の流出を確実に阻止できる構造の簡単な縦形ストレーナを提供することにある。
【課題を解決するための手段】
【００１０】
上記の目的を達成するため、請求項１に係る発明は、流入口と流出口を有するボデーの上部に設けた着脱口より円筒形スクリーンを挿着し、この着脱口を蓋体で被蓋した縦形ストレーナであって、スクリーンの側面に形成した開口部の口縁部位にゴム等の環状シール部材を装着し、このスクリーンをボデー内に挿着したとき、開口部と流入口とを対向配置させると共に、環状シール部材の外周面と流入口の開口端に形成した環状シール面とを圧接させて封止した縦形ストレーナである。
【００１１】
請求項２に係る発明は、環状シール部材の装着手段は、開口部の口縁部位に環状シール部材を挟みこんで当該部位を接着剤で固定するようにした縦形ストレーナである。
【００１２】
請求項３に係る発明は、環状シール部材の装着手段は、開口部の口縁部位に環状シール部材を焼き付けて一体化するようにした縦形ストレーナである。
【００１３】
請求項４に係る発明は、ボデーのスクリーンを装着する縦方向の内径を、環状シール部材を装着したスクリーンの外径より若干小さくした縦形ストレーナである。
【００１４】
請求項５に係る発明は、スクリーンの径方向に一部を突設させた係止部を有するガイド杆を設け、この係止部をボデーに形成した係合溝に係合させて回り止めをさせると共に、ガイド杆をスクリーンの取付方向のガイド機能とスクリーン取出し用の取手とした縦形ストレーナである。
【００１５】
請求項６に係る発明は、蓋体の開口にガラス板やアクリル板などの透明部材を設けて、ボデーの上面よりゴミ等の堆積状態などを確認するようにした縦形ストレーナである。
【発明の効果】
【００１６】
請求項１に係る発明によると、ボデーの上部に設けた着脱口より円筒形スクリーンを挿着する縦形ストレーナであるからＹ形・Ｕ形ストレーナに比較してコンパクト性に優れつつ、圧力損失も少なくできる。この縦形ストレーナは、スクリーンをボデーに収納するだけでボデー内の所定位置にこのスクリーンを容易に装着でき、メンテナンスも容易となり、スクリーンとボデーとは、ゴム等の弾性を有する環状シール部材の外周面と環状シール面とを圧接させて封止しているので、この間の隙間を塞いで異物・ゴミ等のボデー内や２次側への流出を確実に阻止して濾過した流体を直線状に流出できる。このとき、環状シール部材の弾力性によりボデーとスクリーンとの間の隙間が吸収されてスクリーンががたつくことなく強固に位置決め固定されるため、乱流や渦流による振動を防いで部品の破損も防止できる。これにより、大流量用のストレーナとして設けることも可能である。
【００１７】
請求項２又は３に係る発明によると、開口部の口縁部位に環状シール部材を挟み込んでいるから取付けが容易であり、しかも、接着剤や焼き付けにより開口部に固定しているから、環状シール部材や開口部の加工の精度を高めたり環状シール部材を取付けるための特別な手段をスクリーンに設けたりすることなく、開口部に環状シール部材を密着状態で堅固に取付けできる。そのため、環状シール部材を開口部に固定した後には、この部位からの異物・ゴミ等の漏れが防がれる。
【００１８】
請求項４に係る発明によると、ボデーの縦方向の内径を環状シール部材を装着したスクリーンの外径より小さくしているので、環状シール部材の潰し代を設けることができ、この潰し代によりスクリーン挿入時に環状シール部材がボデーの流入方向に押圧され、流体中に含まれる異物・ゴミ等がボデー内部やボデーの２次側に流出することを確実に防ぐことができる。
【００１９】
請求項５に係る発明によると、係止部を有するガイド杆を設け、係止部をボデーの係合溝に係合させて回り止めさせているのでスクリーンを所定の向きに挿着でき、この位置決め状態を保持できることでスクリーンの回転を防いで、高圧の流体や異物・ゴミ等の堆積により圧力が増加した場合でも環状シール部材と環状シール面との圧接封止状態を維持して異物・ゴミ等の漏れを防止できると共に、ガイド杆をスクリーンの着脱時に取手として用いることもできる。
【００２０】
請求項６に係る発明によると、蓋体の開口にガラス板やアクリル板などの透明部材を設けているので、ボデーの上面よりゴミ等の堆積状態やスクリーンの目詰まり状態、流体の流れの状態などを確認できるため、ボデーから蓋体を取外して内部を確認したり、或は、差圧弁やフロー検出器などの別の部品や複雑なバイパス配管等を用いる必要がない。
【図面の簡単な説明】
【００２１】
【図１】本発明の縦形ストレーナの第１実施形態を示した縦断面図である。
【図２】図１におけるＡ−Ａ断面図である。
【図３】ボデーの一部切欠き右側面図である。
【図４】ボデーの平面図である。
【図５】スクリーンを示した正面図である。
【図６】スクリーンの縦断面図である。
【図７】図１の縦形ストレーナの分離断面図である。
【図８】本発明の縦形ストレーナの第２実施形態を示した縦断面図である。
【発明を実施するための形態】
【００２２】
以下に、本発明における縦形ストレーナの実施形態を図面に基づいて詳しく説明する。図１ないし図７においては、本発明の縦形ストレーナの第１実施形態を示したものである。本発明におけるストレーナ本体１は、ボデー２と、円筒形スクリーン３と、蓋体４とを有している。
【００２３】
図１において、ストレーナ本体１を構成するボデー２は、例えば、鋳鉄・鋳鋼や黄銅・青銅等の材料により成形される。このボデー２には流入口５と流出口６とが形成され、また、ボデー２の上部にはスクリーン３挿着用の着脱口７が設けられている。この着脱口７に続けて、流入口５と流出口６との間にはスクリーン３よりも上下部位がやや大径の収納部８が設けられ、更に、その下部よりも上部側がやや大径に形成されている。着脱口７は、蓋体４により被蓋可能になっている。
【００２４】
図２、図３に示すように、ボデー２における流入口５の開口端には、環状のシール面９が形成され、このシール面９は、収納部８の内周面に沿って流入口５から収納部８にかけて広がるテーパ面状になっている。この環状シール面９に対して、後述する環状シール部材１０が圧接可能になっている。環状シール面９の外周側には環状の凹状溝１１が形成され、この凹状溝１１を設けることで鋳物によってボデー２を成形する際の環状シール面９の形成が容易となる。
【００２５】
図３に示すように、着脱口７には一部を切欠くように係合溝１２が形成されている。更に、係合溝１２の上方側には、収納部８や係合溝１２よりも拡径した環状凹溝１３が所定の深さで設けられている。また、この環状凹溝１３の外側には４本のおねじ１４が埋め込みにより取付けられている。
【００２６】
収納部８の下方側、すなわち、スクリーン３の底面３ｂが載置する側には、図１に示すように、突状の載置部１５と、この載置部１５の間に凹部１６が形成されている。載置部１５にはスクリーン３が載置可能であり、スクリーン３を載置したときには底面３ｂとの間に凹部１６により空間部位が形成される。これにより、スクリーン３の底面３ｂ全体が収納部８に接触することが防がれ、底面３ｂ側に錆が発生してこの底面３ｂが収納部８に固着したりすることを防いでいる。
【００２７】
また、ボデー２の両側にはフランジ部１７が形成され、このフランジ部１７には図３に示した取付穴１８が形成されている。ストレーナ本体１は、フランジ部１７を介して図示しない外部流路と接続可能になっており、フランジ部１７の代わりに図示しない各種の接続構造を採用することもできる。
【００２８】
図５、図６におけるスクリーン３は、例えば、ステンレス等の材料により形成され、ボデー２の着脱口７より収納部８に挿着可能に、収納部８よりもやや縮径した円筒に形成されている。このスクリーン３は、筒部２０と、この筒部２０の底部側を閉塞する底板２１とを有し、この筒部２０と底板２１とには、パンチング等の加工手段により多数の小孔２２が形成されている。
【００２９】
スクリーン３の側面３ａには、開口部２３が穿孔して形成され、この開口部２３の口縁部位に環状シール部材１０が装着されている。図における開口部２３よりも上方側には、２つの穿孔穴２４、２４が形成され、この穿孔穴２４、２４にガイド杆２５が挿入状態で取付けられている。ガイド杆２５は、スクリーン３の径方向に一部が突設された係止部２６を有し、この係止部２６は、図４に示すように、係合溝１２に係合可能になっている。ストレーナ本体１は、係止部２６を係合溝１２に係合させてスクリーン３をボデー２に対して回り止めをさせており、かつ、ガイド杆２５の向きを確認することでこのガイド杆２５をスクリーン３の取付方向のガイド機能とし、更に、このガイド杆２５をスクリーン３取出用の取手としている。
【００３０】
図１において、スクリーン３の上下外周部位にはリング部材２７が装着され、スクリーン３は、このリング部材２７により上下部位が補強されている。
なお、本実施形態においては、パンチング等により小孔２２を設けているが、金網等のメッシュ板などによりスクリーンを設けるようにしてもよい。
【００３１】
図１、図２に示した環状シール部材１０は、ゴム等の弾性を有する材料により形成され、この環状シール部材１０の周面側には断面凹形状の取付溝３１が形成されている。環状シール部材１０の装着手段は、開口部２３の口縁部位にこの環状シール部材１０を挟みこんで、当該部位を接着剤で固定するようにしている。また、開口部２３の口縁部位に環状シール部材１０を焼き付けて一体化するようにしてもよい。
【００３２】
ストレーナ本体１は、環状シール部材１０を装着したスクリーン３をボデー２内に挿着したときに、開口部２３と流入口５とを対向配置させると共に、環状シール部材１０の外周面３２と環状シール面９とを圧接させて封止するようになっている。
【００３３】
このとき、図１において、ボデー２への挿着前の環状シール部材１０は二点鎖線に示した状態となり、環状シール部材１０を装着したスクリーン３の外径をＤ１とした場合、ボデー２のスクリーン３を装着する収納部８の縦方向の内径ｄ０は、この外径Ｄ１よりも若干小さくなっている。
【００３４】
図１に示すように、蓋体４は、着脱口７に装着可能な大きさに形成され、この蓋体４の着脱口７と対向する位置には開口３５が形成されている。開口３５には、透明部材３６が取付け可能になっており、この透明部材３６は、ガラス板やアクリル板などからなり、この透明部材３６を介してボデー２の上面よりスクリーン３の内部を視認でき、異物・ゴミ等の堆積状態や流体の流れの状態を確認可能になっている。
【００３５】
透明部材３６は、蓋体４に一体に固着するか、又は別体に着脱可能に設けることが可能であり、図示しないが、一体に固着する場合には、例えば、接着剤等を使用すればよく、この場合、蓋体４と同時に透明部材３６もボデー２から着脱可能になる。一方、透明部材３６と蓋体４とを別体に設けた場合には、透明部材３６が破損したり傷付いたりしたときにこの透明部材３６のみを取外して交換することが可能となる。
【００３６】
図７に示すように、蓋体４には、おねじ１４が対応する位置に挿通穴３７が形成されており、この挿通穴３７におねじ１４を挿入しながら蓋体４を着脱口７に装着し、蓋体４の上からナット３８をおねじ１４に螺合することで蓋体４とボデー２とが一体化する。このとき、図１に示すように、ボデー２と蓋体４との間にはガスケット３９が挟着され、このガスケット３９により着脱口７側からの流体漏れが防がれる。
【００３７】
続いて、ボデー２からスクリーン３を着脱する場合を述べる。
先ず、スクリーン３をボデー２に取付ける場合、開口部２３を流入口５に向けた状態にし、係止部２６を係合溝１２に係合させながら着脱口７より収納部８にスクリーン３を挿入する。このとき、収納部８の上下部位がスクリーン３よりもやや大径に形成されていることにより、この上下部位とスクリーン３との間に空間が形成されるため容易にスクリーン３を挿着でき、しかも、収納部８の上部は下部よりもやや大径になっていることから、スクリーン３の着脱口７からの挿入がより簡単になっている。
スクリーンは、係止部２６と係合溝１２との係合により開口部２３が流入口５に位置決めされた状態で挿着され、かつ、スクリーン３が回り止めされることによりこの位置決め状態が保持される。
【００３８】
スクリーン３の挿着後には、環状シール部材１０の外周面３２と環状シール面９とが対向配置される。このとき、収納部８の縦方向の内径ｄ０を、環状シール部材１０を装着したスクリーン３の外径Ｄ１よりも若干小さくしているので、環状シール部材１０による潰し代１０ａが形成され、この潰し代１０ａが環状シール部材１０の有する弾性によって潰されながら外周面３２と環状シール面９とが圧接して封止した状態となり、これらを強固にシールして異物・ゴミ等の漏れを防ぐことができる。
【００３９】
更に、この潰し代により、スクリーン３と収納部８との間の空間と、これらの間の寸法公差とを吸収するため、両者を高い加工精度により形成する必要もない。前述したように、収納部８とスクリーン３との間には空間が形成されているが、外周面３２と環状シール面９との圧接によりこれらが強固に固定されるため、スクリーン３がボデー２に対してぐらついたりすることもない。
【００４０】
以上のように、ストレーナ本体１は、スクリーン３をボデー２内に押圧するための複雑な押圧機構等を必要とすることなく、簡単な構造によって環状シール部材１０によりボデー２とスクリーン３の隙間を塞いで流体中の異物・配管内腐食や図示しないガスケットなどの剥離によるゴミ等を捕捉してこれらの流出を確実に阻止することにより、水・油・ガス・空気・蒸気などの各種流体を濾過できる。このとき、ストレーナ本体１が縦形ストレーナ構造であることにより濾過した流体を直線状に流出できるため、圧力損失を抑えることができる。
【００４１】
スクリーン３の挿着後には、ボデー２の上面より透明部材３６を介してスクリーン３の異物・ゴミ等の堆積状態や、サイトグラスとして流体の流れの状態を視認できるため、スクリーンが目詰まりや、乱流や渦流の発生を迅速に確認してスクリーンの清掃や交換等の対処を施すことができる。
【００４２】
スクリーン３をボデー２から取外す場合には、ナット３８の螺合を外して蓋体４とガスケット３９とをボデー２から外して着脱口７を開口させ、この状態でスクリーン３を取外すようにする。このとき、ガイド杆２５を取外し用の取手として用いることにより、このガイド杆２５を把持して上方に引き上げることで、容易にスクリーン３を取外しできる。
【００４３】
このように、スクリーン３をボデー２上部の着脱口７より挿着できるため、スクリーン３内に蓄積した異物・ゴミ等を簡単に捕捉でき、メンテナンスも容易である。また、この縦形ストレーナ構造により、優れたコンパクト性を発揮しつつ単純な内部構造によって全体を構成することができ、部品点数も少なくなることから低コストで製作することができる。
【００４４】
図８においては、本発明の縦形ストレーナの第２実施形態を示している。なお、この実施形態において、上記した第１実施形態と同一部分は同一符号によって表し、その説明を省略する。
このストレーナ本体４０は、透明部材を省略した蓋体４１を有しており、この場合、蓋体４１の構造を単純化することでより簡単に製作でき、コストを低減することも可能になる。
【符号の説明】
【００４５】
１  ストレーナ本体
２  ボデー
３  スクリーン
４  蓋体
５  流入口
６  流出口
７  着脱口
９  環状シール面
１０  環状シール部材
１２  係合溝
２３  開口部
２５  ガイド杆
２６  係止部
３２  外周面
３５  開口
３６  透明部材
ｄ０  内径
Ｄ１  外径
【図１】
2011125792.tif 000003
【図２】
2011125792.tif 000004
【図３】
2011125792.tif 000005
【図４】
2011125792.tif 000006
【図５】
2011125792.tif 000007
【図６】
2011125792.tif 000008
【図７】
2011125792.tif 000009
【図８】
2011125792.tif 000010